【手続補正書】
【提出日】平成20年3月3日(2008.3.3)
【手続補正１】
【補正対象書類名】特許請求の範囲
【補正対象項目名】請求項２
【補正方法】変更
【補正の内容】
【請求項２】
上記回転子は、上記シャフトに支持されたマグネットを備えており、この回転子と上記ステータとにより、ブラシレスＤＣモータを構成している、請求項１に記載のキャンドポンプ。
【手続補正２】
【補正対象書類名】明細書
【補正対象項目名】００１８
【補正方法】変更
【補正の内容】
【００１８】
このような構成によれば、シャフトないしこれに支持されるマグネットの回転に起因する軸方向の振動がポンプ室やキャンに伝達されることがないので、回転子をより高速で回転させることができ、上記のように、カスケードインペラに対してシャフトが軸方向に相対移動可能となっていることと相まって、上記カスケードインペラの高速回転を達成することができる。
【手続補正３】
【補正対象書類名】明細書
【補正対象項目名】００３３
【補正方法】変更
【補正の内容】
【００３３】
モータケース１１は、有底円筒状に形成されており、たとえば、アルミニウム等の金属製である。キャン１３は、筒部１３１と、この筒部１３１の一端を塞ぐように形成された底部１３２と、筒部１３１の他端に形成された外向フランジ部１３３とを備えて大略構成されており、外向フランジ部１３３の外周部をモータケース１１の開口部に芯合わせ嵌合させられて、モータケース１１に組み付けられる。ステータ１２は、モータケース１１の内壁と、キャン１３の筒部１３１との間の空間に配置された電磁コイルからなる。回転子１４は、シャフト１４１と、このシャフト１４１に対してブラケット１４２を介して支持されたマグネット１４３とを備える。これにより、モータ部１には、ブラシレスＤＣモータが形成される。マグネット１４３は、プラスチックマグネットを採用することがモータ部１の軽量化に寄与するために好適であり、図に示す実施形態では、シャフト１４１を取り囲む環状に配置されている。
【手続補正４】
【補正対象書類名】明細書
【補正対象項目名】００３６
【補正方法】変更
【補正の内容】
【００３６】
上記筒状支持部材１５は、キャン１３の底部１３２を貫通するようにしてねじ手段によって取り付けられているとともに、軸方向の貫通孔１５ｂを備える。この軸方向貫通孔１５ｂはまた、着脱可能なプラグ１６によって封鎖されている。これにより、たとえば、カスケードインパラ２４がポンプ室２１内でロック状態となったとしても、ポンプ部２やモータ部１を分解するまでもなく、上記プラグ１６を外し、上記筒状支持部材１５の軸方向貫通孔１５ｂから挿入したマイナスドライバ等の工具をシャフト１４１の一端に形成した工具係合手段１４１ｃに係合してシャフト１４１を強制的に回転させることにより、上記のロック状態を容易に解除することができる。
【手続補正５】
【補正対象書類名】明細書
【補正対象項目名】００３７
【補正方法】変更
【補正の内容】
【００３７】
ポンプ室２１は、隔壁部材２２と、この隔壁部材２２に対して芯合わせ嵌合されたポンプ室カバー２３とによって囲まれた空間によって形成されている。このポンプ室２１には、回転子１４のシャフト１４１の他端部が延入させられている。シャフト１４１の延入部１４１ａには、カスケードインペラ２４が相対回転不能かつ軸方向相対移動可能に支持されている。すなわち、シャフト１４１の延入部１４１ａは、先端部にわたって一定の外径を有しているとともに、カスケードインペラ２４の中心ボス部２４１の中心孔２４１ａもまた、シャフト１４１の延入部１４１ａの外径に対してわずかに大きい、軸方向について一定内径を有している。そうして、シャフト１４１の外周には、軸方向の端壁を有するキー溝１４１ｂが形成されているとともに、カスケードインペラ２４のボス部２４１の中心孔２４１ａには、その軸方向の端部に開放するキー溝２４１ｂが形成されており、これらのキー溝１４１ｂ，２４１ｂの双方に嵌合するキー２５が装着されている。ただし、このキー２５の軸方向長さは、シャフト１４１に設けたキー溝１４１ｂよりも短くなっている。これにより、カスケードインペラ２４は、シャフト１４１に対して相対回転不能であり、かつ、シャフト１４１に設けたキー溝１４１ｂの長さとキー２５の長さの差が許容する範囲内で、シャフト１４１に対して軸方向に相対移動可能となる。
【手続補正６】
【補正対象書類名】明細書
【補正対象項目名】００３９
【補正方法】変更
【補正の内容】
【００３９】
カスケードインペラ２４をポンプ室２１に内蔵するポンプの構成自体は、公知のものであり、図２に表れているように、周辺部環状空間２１Ｂには、流入ポート２６と、吐出ポート２７とが連通させられている。このポンプＸをマイクロバブル発生装置のためのポンプとして使用する場合には、流入ポート２６には、図示しない気液混合装置から、水と空気とが適度な割合で混じり合った気液混相流体が流入させられる。流入ポート２６からポンプ室２１内に導入された気液混相流体は、インペラ部２４３の回転にともなって周辺部環状空間２１Ｂを移動する間に圧力を付与され、吐出ポート２７から、所定の圧力で吐出させられる。
【手続補正７】
【補正対象書類名】明細書
【補正対象項目名】００４１
【補正方法】変更
【補正の内容】
【００４１】
上記したように、キャン１３は、モータケース１１に対して芯合わせ状態に嵌合させられ、隔壁部材２２は、キャン１３に対して芯合わせ状態に嵌合させられ、ポンプ室カバー２３は、隔壁部材２２に対し芯合わせ状態に嵌合させられている。これらモータケース１１、キャン１３、隔壁部材２２およびポンプ室カバー２３の相互の固定は、樹脂製の連結部材４１を介して行われている。すなわち、図１に表れているように、連結部材４１は、概して筒状をしており、その適部をボルト５１によってモータケース１１の端部に固定される一方、その適部をボルト５２によってポンプ室カバー２３に連結されている。この連結部材４１とキャン１３との間、この連結部材４１と隔壁部材２２との間、およびこの連結部材４１とポンプ室カバー２３との間には、それぞれ、Ｏリングが介装され、ポンプ室２１ないしキャン１３の内部空間と外部との間の水密シールがなされている。このような構成により、モータケース１１に対して連結された連結部材４１に重ねるようにして、隔壁部材２２を嵌め込み、シャフト１４１の延入部１４１ａにカスケードインペラ２４を取り付け、最後にポンプ室カバー２３をはめ込んだ後、このポンプ室カバー２３と連結部材４１とを連結することにより、簡便に組み付けることができる。また、連結部材４１は樹脂製であることから、キャンドポンプＸ全体の軽量化にも大きく寄与する。
【手続補正８】
【補正対象書類名】明細書
【補正対象項目名】００４７
【補正方法】変更
【補正の内容】
【００４７】
加えて、カスケードインペラ２４のディスク部２４２に循環孔２４２ａが形成され、かつ、隔壁部材２２に貫通孔２２ｂが形成されて、ポンプ室２１とキャン１３の内部空間が連通させられているので、つねにポンプ室２１の流体がキャン１３の内部を循環させられる。これにより、動作中、モータ部１が適度に冷却させられ、長時間の連続運転が可能となる。なお、このような冷却作用は、上記したように、回転子１４のマグネット１４３の端部に攪拌羽根１４４が設けられており、かつ、第１のベアリング３１のための筒状支持部材１５にも直径方向に貫通する流通孔１５ａが形成されていることにより、キャン１３の内部の流体が強制循環させられることから、より効率的に行われる。